(57)【要約】【課題】フリック操作されたアイコンのフリック方向が曖昧な場合でも、フリックされたアイコンをユーザーの意図したアイコンに対応づける。【解決手段】操作画面８０には、フリック操作によりフリック方向８２に移動可能な画像アイコン８１と、画像アイコン８１の移動先となる複数の機能フォルダー８３とが表示される。複数の機能フォルダー８３のそれぞれには、フリック方向８２に対応する機能フォルダー８３であるかを判定するための判定範囲８４が設けられている。操作処理部１４１は、画像アイコン８１のフリック方向８２に判定範囲８４のある機能フォルダー８３を画像アイコン８１の移動先候補として取得するため、判定範囲８４によりフリック方向８２のずれを補うことができる。【選択図】図２
2015207246.tif 000002
【特許請求の範囲】
【請求項１】
フリック操作によりフリック方向に移動可能な移動元アイコンと、前記移動元アイコンの移動先となる複数の移動先アイコンとが表示されたタッチパネルと、
前記複数の移動先アイコンのそれぞれには、フリック方向に対応する移動先アイコンであるかを判定するための判定範囲が設けられており、
前記移動元アイコンのフリック方向に前記判定範囲のある前記移動先アイコンを前記移動元アイコンの移動先候補として取得する操作処理部とを備えた
ことを特徴とするタッチパネル装置。
【請求項２】
前記判定範囲は、前記移動先アイコンから特定の距離離れて設けられており、
前記特定の距離は、ユーザーが設定可能である
ことを特徴とする請求項１に記載のタッチパネル装置。
【請求項３】
前記操作処理部は、
複数の前記移動先候補がある場合に、前記移動元アイコンを前記複数の移動先候補の近くに停止させる
ことを特徴とする請求項１又は２に記載のタッチパネル装置。
【請求項４】
前記操作処理部は、
複数の前記移動先候補がある場合に、前記移動元アイコンを前記複数の移動先候補に重ねた状態で停止させる
ことを特徴とする請求項１又は２に記載のタッチパネル装置。
【請求項５】
前記操作処理部は、
複数の前記移動先候補がある場合に、前記移動元アイコンの移動速度を前記複数の移動先候補の付近で低下させる
ことを特徴とする請求項１から４までのいずれか１項に記載のタッチパネル装置。
【請求項６】
移動中の前記移動元アイコン又は移動を停止した前記移動元アイコンは、再度フリック操作が可能である
ことを特徴とする請求項３から５までのいずれか１項に記載のタッチパネル装置。
【請求項７】
前記操作処理部は、
複数の前記移動先候補がある場合に、前記複数の移動先候補を拡大表示させる
ことを特徴とする請求項１から６までのいずれか１項に記載のタッチパネル装置。
【請求項８】
前記操作処理部は、
複数の前記移動先候補がある場合に、前記移動元アイコンが前記複数の移動先候補のいずれかに移動した場合に、前記移動元アイコンが移動した移動先アイコンの優先度を他の移動先アイコンより高く設定し、
次回、複数の前記移動先候補の中に前記優先度を高く設定した移動先アイコンがある場合に、前記優先度を高く設定した移動先アイコンの表示形態を他の移動先候補よりも目立たせる
ことを特徴とする請求項１から７までのいずれか１項に記載のタッチパネル装置。
【請求項９】
前記移動先アイコンに応じて、前記移動元アイコンの移動形態を設定可能である
ことを特徴とする請求項１から８までのいずれか１項に記載のタッチパネル装置。
【請求項１０】
前記タッチパネルには、処理開始ボタンが設けられ、
前記移動元アイコンが前記移動先アイコンに移動した状態で、前記処理開始ボタンが押されると、前記移動先アイコンに対応するデータが前記移動先アイコンに対応する機能で処理される
ことを特徴とする請求項１から９までのいずれか１項に記載のタッチパネル装置。
【請求項１１】
請求項１から１０までのいずれか１項に記載のタッチパネル装置を備えた
ことを特徴とする画像形成装置。
【発明の詳細な説明】
【技術分野】
【０００１】
本発明は、フリック操作可能なタッチパネルを備えたタッチパネル装置及び画像形成装置に関する。
【背景技術】
【０００２】
近年、タッチパネルにおいては、画面を指ではじくようにスライドさせるフリック操作を受け付けるものがあり、画面に表示されたアイコンをフリック操作可能なものがある。例えば、原稿データを示す原稿アイコンと、印刷やＦＡＸ等の機能に対応した複数の機能アイコンとが表示された画面上で、ユーザーが原稿アイコンを所望の機能アイコンに向けてフリック可能な技術が提案されている（例えば、特許文献１を参照）。特許文献１の技術では、フリックされた原稿アイコンとフリック方向に位置する機能アイコンとを対応づけて、機能アイコンに対応する機能で原稿アイコンのデータを印刷等している。
【先行技術文献】
【特許文献】
【０００３】
【特許文献１】特開２０１３−１９６２６７号公報
【発明の概要】
【発明が解決しようとする課題】
【０００４】
しかしながら、従来の技術では、フリック方向に複数の機能アイコンが配置されている場合、所望の機能アイコンに向けて原稿アイコンを正確にフリックできなかった場合に、意図しない機能アイコンに原稿アイコンが対応づけられてしまい、想定外の機能が実行されてしまうという問題があった。
【０００５】
本発明は上記課題に鑑みてなされたものであり、上記課題を解決することができる技術を提供することを目的とする。
【課題を解決するための手段】
【０００６】
本発明のタッチパネル装置は、フリック操作によりフリック方向に移動可能な移動元アイコンと、前記移動元アイコンの移動先となる複数の移動先アイコンとが表示されたタッチパネルと、前記複数の移動先アイコンのそれぞれには、フリック方向に対応する移動先アイコンであるかを判定するための判定範囲が設けられており、前記移動元アイコンのフリック方向に前記判定範囲のある前記移動先アイコンを前記移動元アイコンの移動先候補として取得する操作処理部とを備えたことを特徴とする。
また、前記判定範囲は、前記移動先アイコンから特定の距離離れて設けられており、前記特定の距離は、ユーザーが設定可能であってもよい。
また、前記操作処理部は、複数の前記移動先候補がある場合に、前記移動元アイコンを前記複数の移動先候補の近くに停止させてもよい。
また、前記操作処理部は、複数の前記移動先候補がある場合に、前記移動元アイコンを前記複数の移動先候補に重ねた状態で停止させてもよい。
また、前記操作処理部は、複数の前記移動先候補がある場合に、前記移動元アイコンの移動速度を前記複数の移動先候補の付近で低下させてもよい。
また、移動中の前記移動元アイコン又は移動を停止した前記移動元アイコンは、再度フリック操作が可能であってもよい。
また、前記操作処理部は、複数の前記移動先候補がある場合に、前記複数の移動先候補を拡大表示させてもよい。
また、前記操作処理部は、複数の前記移動先候補がある場合に、前記移動元アイコンが前記複数の移動先候補のいずれかに移動した場合に、前記移動元アイコンが移動した移動先アイコンの優先度を他の移動先アイコンより高く設定し、次回、複数の前記移動先候補の中に前記優先度を高く設定した移動先アイコンがある場合に、前記優先度を高く設定した移動先アイコンの表示形態を他の移動先候補よりも目立たせてもよい。
また、前記移動先アイコンに応じて、前記移動元アイコンの移動形態を設定可能であってもよい。
また、前記タッチパネルには、処理開始ボタンが設けられ、前記移動元アイコンが前記移動先アイコンに移動した状態で、前記処理開始ボタンが押されると、前記移動先アイコンに対応するデータが前記移動先アイコンに対応する機能で処理されてもよい。
本発明の画像形成装置は、上記に記載のタッチパネル装置を備えたことを特徴とする。
【発明の効果】
【０００７】
本発明によれば、フリック操作されたアイコンのフリック方向が曖昧な場合でも、フリックされたアイコンをユーザーの意図したアイコンに対応づけることができる技術を提供できる。
【図面の簡単な説明】
【０００８】
【図１】本発明に係る実施形態の画像形成装置の構成を示すブロック図である。
【図２】図１に示す操作パネルに表示される操作画面の一例である。
【図３】図１に示す操作パネルに表示される操作画面の一例である。
【図４】図１に示す操作処理部の処理の流れを示すフローチャートである。
【図５】図１に示す操作パネルに表示される操作画面の他の例である。
【図６】図１に示す操作パネルに表示される操作画面の他の例である。
【発明を実施するための形態】
【０００９】
以下、図を参照して本発明の実施形態を詳細に説明する。なお、以下の実施形態において、同様の機能を示す構成には、同一の符号を付してある。
【００１０】
図１に示すように、画像形成装置１００は、操作パネル１１と通信部１２と記憶部１３と制御部１４と原稿読取部１５と画像処理部１６と印刷部１７とを備えている。
【００１１】
操作パネル１１は、タッチパネル１１２と操作ボタン１１１とを備えている。タッチパネル１１２は、各種操作キーや画像形成状況を表示する表示部の表面に透明の感圧センサーが設けられており、表示手段及び入力手段として機能する。タッチパネル１１２は、表示面へのタッチ操作を検知して、タッチ操作が検知された位置に対応する信号を出力することで、表示部に表示した操作キーへの操作を受け付ける。なお、タッチ操作には、表示面をはじくように素早くスライドさせるフリック操作が含まれる。また、操作ボタン１１１は、印刷枚数等の数値を入力するためのテンキー、設定情報を初期化させる指示を入力するためのリセットキー、複写動作を停止させるためのストップキー、印刷動作を開始させる出力指示を入力するためのスタートキー等の各種操作キーを備えている。
【００１２】
通信部１２は、ＬＡＮ（Local Area Network）等のネットワークを介して、外部端末と各種データを送受信する機能を有する。
【００１３】
記憶部１３は、半導体メモリーやＨＤＤ（Hard Disk Drive）等の記憶手段であり、原稿読取部１５によって読み取られた画像データや、通信部１２を介して受信された画像データが蓄積される記憶手段である。
【００１４】
原稿読取部１５は、図示しない原稿給紙装置により給紙されてきた原稿や、ユーザーによってプラテンガラスに載置された原稿に対して光を照射し、その反射光等を受光して原稿画像を読み取って画像データを出力するスキャナーである。
【００１５】
画像処理部１６は、画像データに対して画像処理を行う手段である。画像処理部１６では、例えば、拡大縮小処理や、濃度調整、階調調整等の画像改善処理が行われる。
【００１６】
印刷部１７は、画像データを印刷する印刷手段である。印刷部１７は、例えば、記憶部１３から読み出した画像データに基づき感光体ドラムの表面に潜像を形成し、トナーによってその潜像をトナー像とする画像形成を行い、図示しない給紙部から搬送されてきた記録紙に感光体ドラムのトナー像を転写させ、そのトナー像を記録紙に定着させて排紙する。
【００１７】
制御部１４は、操作パネル１１、通信部１２、記憶部１３、原稿読取部１５、画像処理部１６及び印刷部１７にそれぞれ接続され、操作パネル１１から入力された指示情報に応じて画像形成装置１００全体の動作制御を実行する。制御部１４は、ＲＯＭ（Read Only Memory）、ＲＡＭ（Random Access Memory）等を備えたマイクロコンピュータ等の情報処理部である。ＲＯＭには画像形成装置１００の動作制御を行うための制御プログラムが記憶されている。制御部１４は、ＲＯＭに記憶されている制御プログラムを読み出し、制御プログラムをＲＡＭに展開させることで、操作パネル１１から入力された指示情報に応じて装置全体の制御を行う。なお、制御プログラムは、不図示のネットワーク又は不図示のコンピューター読取可能な記録媒体を介してＲＯＭに記憶されてもよい。
【００１８】
また、制御部１４は、タッチパネル１１２に表示された操作画面の操作制御を行う操作処理部１４１として機能する。
【００１９】
図２は、タッチパネル１１２に表示された操作画面８０の一例である。操作画面８０には、画像データに対応する画像アイコン８１と、画像形成装置の各機能に対応した複数の機能フォルダー（印刷フォルダー８３ａ、ＦＡＸフォルダー８３ｂ、ＢＯＸフォルダー８３ｃ）とがアイコン表示されている。なお、各機能フォルダーを区別する必要がない場合、機能フォルダー８３として説明する。
【００２０】
画像アイコン８１の画像データは、原稿読取部１５に読み取られた画像データや、記憶部１３に記憶された画像データである。印刷フォルダー８３ａは、フォルダーに入れられた画像データを印刷する機能を有する。ＦＡＸフォルダー８３ｂは、フォルダーに入れられた画像データをＦＡＸ送信する機能を有する。また、ＢＯＸフォルダー８３ｃは、フォルダーに入れられた画像データを記憶部１３内の予め割り当てられた記憶領域内に記憶する機能を有する。
【００２１】
画像アイコン８１は、フリック操作により画面上を移動可能に構成されており、フリックされると、フリック方向８２に移動する。ユーザーは、フリックした画像アイコン８１を再びフリックして、画像アイコン８１の移動方向を修正することも可能である。画像アイコン８１が移動して、機能フォルダー８３に重なると、画像アイコン８１とその機能フォルダー８３とが対応づけられて、画像アイコン８１の画像データがその機能フォルダー８３に格納される。機能フォルダー８３に格納された画像データは、その機能フォルダー８３の機能に応じた内容で処理される。例えば、画像アイコン８１が移動して、印刷フォルダー８３ａに重なった場合には、画像アイコン８１に対応する画像データが印刷される。
【００２２】
また、各機能フォルダー８３の周囲には、フリック方向８２、つまり、画像アイコン８１の移動方向に対応する機能フォルダー８３であるかを判定するための判定範囲８４が設定されている。操作処理部１４１は、フリック方向８２に判定範囲８４がある機能フォルダー８３を画像アイコン８１の移動先候補とすることで、ユーザー操作に伴うフリック方向８２のずれ（曖昧さ）に対応している。フリック方向８２に判定範囲８４がない場合には、フリックし直すようにエラーメッセージが表示される。
【００２３】
判定範囲８４は、機能フォルダー８３から特定の距離Ｘだけ離れて機能フォルダー８３の外周に設定される。特定の距離Ｘが大きくなるほど、フリック方向８２の大きなずれに対応できる。逆に、特定の距離Ｘが小さくなるほど、フリック方向８２のずれに対応しなくなり、正確なフリック操作が必要になる。また、特定の距離Ｘが大きくなるほど各機能フォルダー８３の判定範囲８４が大きくなり、機能フォルダー８３の判定範囲８４同士が重複する。そのため、機能フォルダー８３同士が近接して配置されているような場合に、例えばフリック方向８２が隣接する機能フォルダー８３同士の間になっても、隣接するそれぞれの機能フォルダー８３を画像アイコン８１の移動先候補とすることができる。なお、特定の距離Ｘは、予め設定されてもよいし、ユーザーが好みに合わせて設定することも可能である。
【００２４】
図３に示すように、フリック方向８２に複数の移動先候補（８３ａ、８３ｂ）がある場合、操作処理部１４１は、画像アイコン８１の移動を複数の移動先候補の機能フォルダー（８３ａ、８３ｂ）の付近で停止させる。そのため、ユーザーに移動先候補の機能フォルダー（８３ａ、８３ｂ）の近くで画像アイコン８１のフリック操作を行わせることができ、画像アイコン８１を所望の機能フォルダー８３に向けて正確にフリックさせやすくなる。また、移動先候補の機能フォルダー（８３ａ、８３ｂ）は、点滅表示等により強調表示され、移動先候補であることをユーザーに認識させやすくなっている。なお、移動先候補が１つである場合も、移動先候補の機能フォルダー８３は点滅表示される。なお、移動先候補の機能フォルダー８３が移動先候補でない機能フォルダー８３よりも拡大表示されるようにしてもよい。また、この際、拡大表示した機能フォルダー８３に重ならないように、他の機能フォルダー８３の大きさを縮小表示したり、表示位置を変えたりしてもよい。
【００２５】
具体的に、図４を参照して、上記の操作処理部１４１の処理の流れを説明する。
【００２６】
操作処理部１４１は、画像アイコン８１がフリックされたか判定し（ステップｓ１１）、フリックされていなければ（ステップｓ１１でＮｏ）、ステップｓ１１に処理を戻す。画像アイコン８１がフリックされると（ステップｓ１１でＹｅｓ）、操作処理部１４１は、フリック方向８２を取得して（ステップｓ１２）、フリック方向８２に判定範囲８４があるか判定する（ステップｓ１３）。
【００２７】
フリック方向８２に判定範囲８４がない場合（ステップｓ１３でＮｏ）、操作処理部１４１は、エラーメッセージを表示してユーザーにフリック操作のやり直しを促し（ステップｓ１４）、ステップｓ１１に処理を戻す。一方、フリック方向８２に判定範囲８４がある場合（ステップｓ１３でＹｅｓ）、操作処理部１４１は、フリック方向８２に判定範囲８４のある機能フォルダー８３を移動先候補として取得し（ステップｓ１５）、画像アイコン８１をフリック方向８２に移動させるとともに、移動先候補の機能フォルダー８３を点滅表示させる（ステップｓ１６）。
【００２８】
つづいて、操作処理部１４１は、移動先候補が複数であるか判定する（ステップｓ１７）。移動先候補が複数である場合（ステップｓ１７でＹｅｓ）、操作処理部１４１は、画像アイコン８１を複数の移動先候補の付近で停止させ（ステップｓ１８）、停止させた画像アイコン８１が再フリックされるまで待機する（ステップｓ１９）。停止させた画像アイコン８１が再フリックされると（ステップｓ１９でＹｅｓ）、操作処理部１４１は、ステップｓ１２に処理を戻す。なお、停止させた画像アイコン８１を再フリックさせる際には、各機能フォルダー８３の判定範囲８４は互いに重複しない範囲まで縮小されてもよい。画像アイコン８１と機能フォルダー８３との距離Ｘが近いため、正確にフリックしやすいからである。
【００２９】
一方、移動先候補が複数でない場合（ステップｓ１７でＮｏ）、つまり、移動先候補が１つである場合には、操作処理部１４１は、画像アイコン８１を移動先候補の機能フォルダー８３に重なるまで移動させる（ステップｓ２０）。画像アイコン８１が機能フォルダー８３に重なると、操作処理部１４１は、画像アイコン８１の画像データを移動先の機能フォルダー８３に格納し（ステップｓ２１）、画像データを移動先の機能フォルダー８３に対応する機能で処理して（ステップｓ２２）、本処理を終了する。
【００３０】
このように、本実施形態では、各機能フォルダー８３に判定範囲８４が設定されている。操作処理部１４１は、画像アイコン８１のフリック方向８２に判定範囲８４のある機能フォルダー８３を画像アイコン８１の移動先候補として取得している。そのため、フリック方向８２が多少ずれても機能フォルダー８３に設けられた判定範囲８４でカバーすることができる。また、本実施形態では、複数の移動先候補がある場合に、画像アイコン８１を複数の移動先候補の付近で停止させ、画像アイコン８１を再度フリックさせて所望の機能フォルダー８３に移動させるようにしている。そのため、画像アイコン８１の移動方向を修正することができ、画像アイコン８１を所望の機能フォルダー８３に対応づけることができる。
【００３１】
本発明は上述した実施の形態に限定されるものではなく、本発明の趣旨を逸脱しない範囲で種々様々に変更が可能であることは言うまでもない。
【００３２】
例えば、上記実施形態では、複数の移動先候補があった場合に、複数の移動先候補の付近で画像アイコン８１を停止させる場合を説明したが、複数の移動先候補の機能フォルダー８３に画像アイコン８１を重ねた状態で停止させてもよい。例えば、図５に示すように、移動先候補が印刷フォルダー８３ａとＦＡＸフォルダー８３ｂであった場合、画像アイコン８１は、印刷フォルダー８３ａとＦＡＸフォルダー８３ｂに重なった状態で停止する。この場合、図５において上又は下にフリックするだけで、印刷フォルダー８３ａかＦＡＸフォルダー８３ｂを選ぶことができる。
【００３３】
また、図６に示すように、操作画面８６に複数の画像アイコン８１ａ〜ｃが表示されてもよく、複数の画像アイコン８１ａ〜ｃをそれぞれフリック方向８２ａ〜ｃに連続してフリックして印刷フォルダー８３ａ、ＦＡＸフォルダー８３ｂ、ＢＯＸフォルダー８３ｃに格納できるようにしてもよい。また、「処理開始」ボタン８５が押されるまで、機能フォルダー８３に格納された画像データが処理されず、「処理開始」ボタン８５が押されると、機能フォルダー８３に格納された画像データが処理されるようにしてもよい。機能フォルダー８３に画像データが格納されている場合、機能フォルダー８３がダブルタップ等されると、その画像データが表示されるようにしてもよい。
【００３４】
また、複数の移動候補がある場合、複数の移動候補の付近で画像アイコン８１の移動速度が低下するようにしてもよい。また、複数の移動候補のうち、最終的に画像アイコン８１が格納された移動候補の機能フォルダー８３の色を赤色等で強調表示するようにしてもよい。また、機能フォルダー８３に応じて、画像アイコン８１の停止の有無や移動速度等を変えたり、移動自体を受け付けないように、画像アイコン８１の移動形態を設定可能としてもよい。例えば、印刷フォルダー８３ａやＦＡＸフォルダー８３ｂ等において、すぐに画像データが印刷やＦＡＸされると困るような場合に設定することができる。また、複数の移動候補の付近で画像アイコン８１が停止しているときに、他の画像アイコン８１がその複数の移動候補に向けて移動してきた場合には、先に停止した画像アイコン８１の隣に後から移動してきた画像アイコン８１を並べて停止させてもよい。
【００３５】
また、複数の移動候補の付近で停止した画像アイコン８１が再フリックされることにより、複数の移動候補のいずれかに格納された場合には、操作処理部１４１は、画像アイコン８１を格納した機能フォルダー８３の優先度を他の機能フォルダー８３の優先度よりも高く設定してもよい。次回、再び複数の移動候補が存在し、複数の移動候補の中に優先度が高く設定された機能フォルダー８３がある場合には、操作処理部１４１は、優先度が高く設定された機能フォルダー８３を他の移動候補の機能フォルダー８３よりも拡大表示する等して目立つように表示形態を変えてもよい。また、このときに、画像アイコン８１の再フリックにより、優先度が高く設定された機能フォルダー８３が選択されなかった場合には、操作処理部１４１は、この機能フォルダー８３の優先度の設定を解除して、標準の優先度に戻すようにしてもよい。
【００３６】
なお、本実施形態では、画像形成装置１００を例に説明したが、これに限らず、タッチパネル１１２を備えたタッチパネル装置であればよい。例えば、タッチパネル１１２を備えた携帯電話やスマートフォン、タブレット端末などの携帯端末等に適用できる。
【符号の説明】
【００３７】
１１  操作パネル
１２  通信部
１３  記憶部
１４  制御部
１５  原稿読取部
１６  画像処理部
１７  印刷部
８０、８６  操作画面
８１、８１ａ〜ｃ  画像アイコン（移動元アイコン）
８２、８２ａ〜ｃ  フリック方向
８３  機能フォルダー（移動先アイコン）
８３ａ  印刷フォルダー
８３ｂ  ＦＡＸフォルダー
８３ｃ  ＢＯＸフォルダー
８４  判定範囲
８５  ボタン
１００  画像形成装置
１１１  操作ボタン
１１２  タッチパネル
１４１  操作処理部
Ｘ  距離
【図１】
2015207246.tif 000003
【図２】
2015207246.tif 000004
【図３】
2015207246.tif 000005
【図４】
2015207246.tif 000006
【図５】
2015207246.tif 000007
【図６】
2015207246.tif 000008